(57)【要約】  再送回数を抑制する。基地局は、Ｇｒａｎｔ−ｆｒｅｅ方式で無線通信装置と無線通信を行うことが可能な基地局であって、前記無線通信装置に割り当てられた共有無線リソースを用いて前記無線通信装置から送信された第１信号を受信する受信部と、前記無線通信装置に、前記第１信号に対しての再送要求する場合に、再送に用いる無線リソースに関する情報を含む第２信号を前記無線通信装置に送信する送信部と、を含む。
2019082367.tif 000002
【特許請求の範囲】
【請求項１】
Ｇｒａｎｔ−ｆｒｅｅ方式で無線通信装置と無線通信を行うことが可能な基地局であって、
前記無線通信装置に割り当てられた共有無線リソースを用いて前記無線通信装置から送信された第１信号を受信する受信部と、
前記無線通信装置に、前記第１信号に対しての再送要求する場合に、再送に用いる無線リソースに関する情報を含む第２信号を前記無線通信装置に送信する送信部と、
を含む基地局。
【請求項２】
前記再送に用いる無線リソースに関する情報は、再送における送信タイミングの情報を含む、
請求項１に記載の基地局。
【請求項３】
前記無線通信装置に複数の前記共有無線リソースが割り当てられており、
前記再送に用いる無線リソースに関する情報は、第１の共有無線リソースに対応するか、又は前記第１の共有無線リソースと異なる第２の共有無線リソースに対応するかを示す情報を含む、
請求項１又は請求項２に記載の基地局。
【請求項４】
前記送信部は、前記受信部により、前記共有無線リソースを使用することを示す情報を含む第３信号が受信されなかった場合、前記共有無線リソースとは異なる無線リソースが割り当てられた他の無線通信装置に対し、前記共有無線リソースが空いていることを示す情報を含む第４信号を送信する、
請求項１から請求項３の何れか１項に記載の基地局。
【請求項５】
前記送信部は、前記共有無線リソースを用いて前記他の無線通信装置から送信されたデータ信号に対応する応答信号を前記他の無線通信装置に送信する場合に、更に、前記無線通信装置に対して前記共有無線リソースの使用を抑止する情報を含む第５信号を送信する、
請求項４に記載の基地局。
【請求項６】
Ｇｒａｎｔ−ｆｒｅｅ方式で基地局と無線通信が可能な端末であって、
割り当てられた共有無線リソースを用いて第１信号を前記基地局に送信する送信部と、
前記送信部により送信された第１信号に対する応答として前記基地局から送信された第２信号を受信する受信部と、
を含み、
前記送信部は、前記第２信号に再送に用いる無線リソースに関する情報が含まれる場合、前記再送に用いる無線リソースに関する情報に応じて、前記第１信号を前記基地局に再送信する、
端末。
【請求項７】
前記再送に用いる無線リソースに関する情報は、再送における送信タイミングの情報を含む、
請求項６に記載の端末。
【請求項８】
複数の前記共有無線リソースが割り当てられており、
前記再送に用いる無線リソースに関する情報は、第１の共有無線リソースか、又は前記第１の共有無線リソースと異なる第２の共有無線リソースを示す情報を含む、
請求項６又は請求項７に記載の端末。
【請求項９】
前記送信部は、前記共有無線リソースを使用することを示す情報を含む第３信号を前記基地局に送信する、
請求項６から請求項８の何れか１項に記載の端末。
【請求項１０】
前記受信部は、前記基地局から送信された、割り当てられた前記無線リソースの使用を抑止する情報を含む第５信号を受信し、
前記送信部は、前記受信部により前記第５信号が受信された場合、前記第１信号を前記基地局に送信を抑制する、
請求項９に記載の端末。
【請求項１１】
Ｇｒａｎｔ−ｆｒｅｅ方式で無線通信装置と無線通信を行う基地局が実行することが可能な通信方法であって、
前記無線通信装置に割り当てられた共有無線リソースを用いて前記無線通信装置から送信された第１信号に対して、前記無線通信装置に再送を要求する場合に、再送に用いる無線リソースに関する情報を含む第２信号を前記無線通信装置に送信する、
通信方法。
【請求項１２】
前記再送に用いる無線リソースに関する情報は、再送における送信タイミングを示す情報を含む、
請求項１１に記載の通信方法。
【請求項１３】
前記無線通信装置に複数の前記共有無線リソースが割り当てられており、
前記再送に用いる無線リソースに関する情報は、第１の共有無線リソースか、又は前記第１の共有無線リソースと異なる第２の共有無線リソースを示す情報を含む、
請求項１１又は請求項１２に記載の通信方法。
【請求項１４】
前記共有無線リソースが割り当てられた前記無線通信装置から前記第１信号の送信前に送信される、割り当てられた前記共有無線リソースを使用することを示す情報を含む第３信号を受信しなかった場合、前記共有無線リソースとは異なる無線リソースが割り当てられた他の無線通信装置に対し、前記共有無線リソースが空いていることを示す情報を含む第４信号を送信する、
請求項１１から請求項１３の何れか１項に記載の通信方法。
【請求項１５】
前記共有無線リソースを用いて前記他の無線通信装置から送信された前記第１信号に対応する前記第２信号を前記他の無線通信装置に送信する場合に、更に、前記無線通信装置に対して前記無線通信装置に割り当てられた無線リソースの使用を抑止する情報を含む第５信号を送信する、
請求項１４に記載の通信方法。
【請求項１６】
Ｇｒａｎｔ−ｆｒｅｅ方式で無線通信装置と基地局とが無線通信が可能な無線通信システムであって、
前記無線通信装置は、
割り当てられた共有無線リソースを用いて第１信号を前記基地局に送信する第１送信部を備え、
前記基地局は、
前記第１信号を受信する受信部と、
前記無線通信装置に前記第１信号に対しての再送要求する場合に、再送に用いる無線リソースに関する情報を含む第２信号を前記無線通信装置に送信する第２送信部と、を備える、
無線通信システム。
【発明の詳細な説明】
【技術分野】
【０００１】
開示の技術は、基地局、端末、通信方法、及び無線通信システムに関する。
【背景技術】
【０００２】
従来、一例として図１３に示すように、端末がデータを無線通信によって基地局に送信する際に、Scheduling Request（ＳＲ）を送信することが行われている。基地局は、端末から送信されたＳＲを受信すると、割り当てた無線リソースの使用を許可するＧｒａｎｔを含む情報を端末に送信する。端末は、基地局から送信されたＧｒａｎｔを含む情報を受信すると、割り当てられた無線リソースを用いてデータを基地局に送信する。【０００３】
この方式では、端末が、少なくともデータを無線通信によって基地局に送信する前に、基地局にＳＲを送信し、基地局から送信されたＧｒａｎｔを含む情報を受信するまでに要する時間（図１３における破線で囲まれた部分）がかかる。【０００４】
Third Generation Partnership Project（３ＧＰＰ）では、次世代の通信規格（5th Generation（５Ｇ））の無線通信システムにむけて、データ伝送までの時間の短縮を目的としてＧｒａｎｔ−ｆｒｅｅ方式が検討されている。Ｇｒａｎｔ−ｆｒｅｅ方式では、一例として図１４に示すように、端末が基地局にＳＲを送信しなくてもアップリンクのデータ送信が可能とされる。また、Ｇｒａｎｔ−ｆｒｅｅ方式では、端末がデータ送信に使用する無線リソースを各端末又は各端末グループに事前に割り当てることが３ＧＰＰにおいて合意されている。また、Ｇｒａｎｔ−ｆｒｅｅ方式では、無線リソースの例として、時間領域において一定周期で配置される周期型の無線リソースが挙げられる。また、Ｇｒａｎｔ−ｆｒｅｅ方式では、端末に割り当てられる無線リソースの情報（例えば、時間領域上の位置、時間周期、及び周波数領域上の位置等）は、上位層のシグナリングを用いて各端末に事前に通知される。
【先行技術文献】
【非特許文献】
【０００５】
【非特許文献１】3GPP TSG RAN WG1 Meeting #88, R1-1701594, Athens Greece,“Basic Grant-free Transmission for URLLC”, 13th-17th February 2017.
【非特許文献２】3GPP TSG RAN WG1 Meeting #88, R1-1703788, Athens Greece,“WF on grant-free for UL URLLC”, 13th-17th February 2017.
【発明の概要】
【発明が解決しようとする課題】
【０００６】
Ｇｒａｎｔ−ｆｒｅｅ方式での端末から基地局へのデータ送信において、同一の無線リソースが複数の端末で共有されて同時に使用された場合、複数の端末から送信されたデータの衝突が発生し、基地局でのデータ受信に影響を与えることがある。この場合、各端末からのデータの再送時においても更にデータが衝突する可能性があり、再送回数が増加してしまう場合がある。【０００７】
開示の技術は、一つの側面として、再送回数を抑制することを目的とする。
【課題を解決するための手段】
【０００８】
開示の技術は、一つの態様として、Ｇｒａｎｔ−ｆｒｅｅ方式で無線通信装置と無線通信を行うことが可能な基地局が、前記無線通信装置に割り当てられた共有無線リソースを用いて前記無線通信装置から送信された第１信号を受信する受信部を含む。また、基地局は、前記無線通信装置に、前記第１信号に対しての再送要求する場合に、再送に用いる無線リソースに関する情報を含む第２信号を前記無線通信装置に送信する送信部を更に含む。
【発明の効果】
【０００９】
一つの側面として、再送回数を抑制することができる、という効果を有する。
【図面の簡単な説明】
【００１０】
【図１】各実施形態に係る無線通信システムの概略構成を示すブロック図である。
【図２】第１及び第２実施形態に係る基地局の機能ブロック図である。
【図３】各実施形態に係る端末の機能ブロック図である。
【図４】各実施形態に係る基地局のハードウェア構成を示すブロック図である。
【図５】各実施形態に係る端末のハードウェア構成を示すブロック図である。
【図６Ａ】第１実施形態に係るスロットの概念図である。
【図６Ｂ】第１実施形態に係る無線通信システムの処理の流れの一例を示すチャートである。
【図７】第１実施形態に係る第２信号を説明するための図である。
【図８Ａ】第２実施形態に係るスロットの概念図である。
【図８Ｂ】第２実施形態に係る無線通信システムの処理の流れの一例を示すチャートである。
【図９】第３実施形態に係る基地局の機能ブロック図である。
【図１０Ａ】第３実施形態に係るスロットの概念図である。
【図１０Ｂ】第３実施形態に係る無線通信システムの処理の流れの一例を示すチャートである。
【図１１】第４実施形態に係る基地局の機能ブロック図である。
【図１２Ａ】第４実施形態に係るスロットの概念図である。
【図１２Ｂ】第４実施形態に係る無線通信システムの処理の流れの一例を示すチャートである。
【図１３】Ｇｒａｎｔを用いた方式での無線通信処理を説明するためのタイミングチャートである。
【図１４】Ｇｒａｎｔ−ｆｒｅｅ方式での無線通信処理を説明するためのタイミングチャートである。
【発明を実施するための形態】
【００１１】
以下、図面を参照して、開示の技術の実施形態の例を詳細に説明する。
【００１２】
［第１実施形態］
まず、図１を参照して、本実施形態に係る無線通信システム１０の構成を説明する。図１に示すように、無線通信システム１０は、複数のアンテナ素子１１を備えた基地局１２、及びそれぞれ１つのアンテナ素子１３を備えた複数の端末１４を含む。端末１４は、User Equipment（ＵＥ）とも呼ばれる。なお、端末１４は複数のアンテナ素子１３を備えてもよい。
【００１３】
複数の端末１４の各々は、基地局１２がカバーするエリア内に位置し、基地局１２との無線通信が可能とされる。基地局１２と端末１４とは、アンテナ素子１１及びアンテナ素子１３を介して、Ｇｒａｎｔ−ｆｒｅｅ方式で無線通信を行うことが可能である。Ｇｒａｎｔ−ｆｒｅｅ方式での無線通信を実現するために、各端末１４には、端末１４が基地局１２にデータを送信する際に用いられる複数の端末１４が共有する無線リソースが基地局１２によって予め割り当てられている。なお、共有無線リソースは、例えば、Ｓｙｓｔｅｍ-Ｉｎｆｏｒｍａｔｉｏｎ-Ｂｌｏｃｋ（ＳＩＢ）を用いて割り当てられる。端末１４が、開示の技術の無線通信装置の一例である。
【００１４】
次に、図２を参照して、本実施形態に係る基地局１２の機能的な構成を説明する。図２に示すように、基地局１２は、受信部２０、受信状態判定部２２、優先度判定部２４、応答信号生成部２６、及び送信部２８を含む。
【００１５】
受信部２０は、端末１４からアンテナ素子１３を介して送信された信号を、アンテナ素子１１を介して受信する。本実施形態では、受信部２０は、端末１４からアンテナ素子１３を介して送信された端末１４が送信対象とするデータを含む第１信号を、アンテナ素子１１を介して受信する。そして、受信部２０は、受信した第１信号に対し、アナログ信号をデジタル信号へ変換する処理、及び高速フーリエ変換等の定められた受信処理を行う。
【００１６】
受信状態判定部２２は、受信部２０による受信処理を経た第１信号の受信状態に基づき、第１信号を正常に受信できたか否かの判定を行う。なお、受信状態判定部２２は、例えばHybrid ARQ（ＨＡＲＱ）の処理を行い、第１信号が正常に受信できたか否かを判定する。複数の端末１４の各々が、割り当てられた共有の無線リソースを用いて同じタイミングで第１信号を送信すると、受信部２０は、干渉による影響を受けた第１信号を受信する可能性がある。そこで、本実施形態では、受信状態判定部２２は、受信部２０による受信処理を経た第１信号の受信状態に応じて、複数の端末１４が同じタイミングで第１信号を送信したことにより、第１信号を正常に受信できずに、第１信号の衝突が発生したか否かを判定する。なお、受信状態判定部２２は、あるスロットで受信した第１信号に対して、全て正常に受信できている場合は、衝突判定をしなくても良い。
【００１７】
また、受信状態判定部２２は、第１信号の衝突が発生したと判定した場合、受信部２０による受信処理を経た第１信号の各々を用いて、第１信号の送信元の複数の端末１４を特定する。
【００１８】
優先度判定部２４は、受信状態判定部２２により第１信号の衝突が発生したと判定された場合、受信状態判定部２２により特定された第１信号の送信元の複数の端末１４における第１信号の再送の優先度を判定する。本実施形態では、優先度判定部２４は、例えば、端末１４毎に予め定められたQuality of Service（ＱｏＳ）に従い、第１信号の再送の優先度を２段階で判定する。具体的には、優先度判定部２４は、第１信号の送信元の複数の端末１４のうち、ＱｏＳが最も高い端末１４を優先度が高いと判定し、ＱｏＳが最も高い端末１４以外の端末１４を優先度が低いと判定する。
【００１９】
なお、優先度判定部２４は、第１信号の送信元の複数の端末１４のうち、受信部２０による第１信号の受信開始のタイミングが最も早い端末１４を優先度が高いと判定し、最も早い端末１４以外の端末１４を優先度が低いと判定してもよい。
【００２０】
また、優先度判定部２４は、第１信号の送信元の複数の端末１４のうち、少なくとも１台の端末１４を優先度が高いと判定し、少なくとも１台の端末１４を優先度が低いと判定すれば、優先度が高いと判定する端末１４が複数存在してもよい。例えば、優先度判定部２４は、ＱｏＳが所定値以上の端末１４を優先度が高いと判定し、ＱｏＳが所定値未満の端末１４を優先度が低いと判定してもよい。
【００２１】
応答信号生成部２６は、端末１４から送信された第１信号に対する応答として、第２信号を生成する。本実施形態では、応答信号生成部２６は、受信状態判定部２２により第１信号が正常に受信できたと判定された場合、第２信号として、第１信号が正常に受信できたことを表すACKnowledgement（ＡＣＫ）を生成する。
【００２２】
また、応答信号生成部２６は、受信状態判定部２２により第１信号が正常に受信されなかったと判定された場合、第２信号として、Hybrid Automatic Repeat reQuest（ＨＡＲＱ）に従って第１信号の送信元の端末１４に再送を要求するNegative ACKnowledgement（ＮＡＣＫ）を生成する。本実施形態では、応答信号生成部２６は、第１信号の送信元の端末１４が第１信号の再送に用いる無線リソースに関する情報をＮＡＣＫに含める。具体的には、応答信号生成部２６は、第１信号の送信元の端末１４毎に、優先度判定部２４による再送の優先度に従ってＮＡＣＫを生成する。
【００２３】
より具体的には、応答信号生成部２６は、優先度判定部２４により再送の優先度が低いと判定された端末１４に対しては、第１の送信タイミング（例えば、次の送信タイミング）での再送が不可であることを示す情報を含むＮＡＣＫ（以下、「ＮＡＣＫ０」という）を生成する。一方、応答信号生成部２６は、優先度判定部２４により再送の優先度が高いと判定された端末１４に対しては、第１の送信タイミングでの再送が可能であることを示す情報を含むＮＡＣＫ（以下、「ＮＡＣＫ１」という）を生成する。
【００２４】
送信部２８は、応答信号生成部２６により生成された第２信号に対し、逆高速フーリエ変換、及びデジタル信号をアナログ信号へ変換する処理等の定められた送信処理を行う。そして、送信部２８は、送信処理を経た第２信号を、アンテナ素子１１を介して、対応する第１信号の送信元の端末１４に送信する。
【００２５】
次に、図３を参照して、本実施形態に係る端末１４の機能的な構成を説明する。図３に示すように、端末１４は、送信部４０、受信部４２、検出部４４、及び制御部４６を含む。
【００２６】
送信部４０は、送信バッファを含み、アプリケーション等の上位層において発生したデータが入力された場合に、入力されたデータを送信バッファに一時的に保持する。また、送信部４０は、後述する制御部４６による制御により、端末１４に割り当てられた共有の無線リソースを用いて、送信バッファに保持したデータを含む第１信号を、アンテナ素子１３を介して基地局１２に送信する。本実施形態では、送信部４０は、第１信号に対し、逆高速フーリエ変換、及びデジタル信号をアナログ信号へ変換する処理等の定められた送信処理を行う。そして、送信部４０は、送信処理を経た第１信号を、アンテナ素子１３を介して基地局１２に送信する。
【００２７】
また、送信部４０は、制御部４６から第１信号の再送の指示及び再送のタイミングが入力された場合、入力された再送のタイミングに応じて、送信バッファに保持したデータを含む第１信号を、アンテナ素子１３を介して基地局１２に再送信する。
【００２８】
受信部４２は、基地局１２からアンテナ素子１１を介して送信された信号を、アンテナ素子１３を介して受信する。本実施形態では、受信部４２は、基地局１２からアンテナ素子１１を介して送信された第２信号を、アンテナ素子１３を介して受信する。そして、受信部４２は、受信した第２信号に対し、アナログ信号をデジタル信号へ変換する処理、及び高速フーリエ変換等の定められた受信処理を行う。
【００２９】
検出部４４は、受信部４２による受信処理を経た第２信号が、ＡＣＫであるか、ＮＡＣＫ０であるか、又はＮＡＣＫ１であるかを検出する。
【００３０】
制御部４６は、アプリケーション等の上位層においてデータが発生した場合、送信部４０に対し、端末１４に割り当てられた共有の無線リソースを用いて、発生したデータを含む第１信号を基地局１２に送信する制御を行う。また、制御部４６は、検出部４４により第２信号がＡＣＫであると検出された場合、上位層に対して第１信号の送信が正常に終了したことを通知する。
【００３１】
また、制御部４６は、検出部４４により第２信号がＮＡＣＫ０であると検出された場合、送信部４０に対し、第１の送信タイミングでは第１信号を再送せずに、第１の送信タイミングと異なる第２の送信タイミング（例えば、第１の送信タイミングのＮスロット後のタイミング（Ｎは、整数））で第１信号を再送する指示を出力する。また、制御部４６は、検出部４４により第２信号がＮＡＣＫ１であると検出された場合、送信部４０に対し、第１の送信タイミングで第１信号を再送する指示を出力する。
【００３２】
次に、図４を参照して、本実施形態に係る基地局１２のハードウェア構成を説明する。図４に示すように、基地局１２は、Central Processing Unit（ＣＰＵ）６１、一時記憶領域としてのメモリ６２、及び不揮発性の記憶部６３を備える。また、基地局１２は、コアネットワーク等に接続されるネットワークＩ／Ｆ６４、及び無線処理回路６５を備える。ＣＰＵ６１、メモリ６２、記憶部６３、ネットワークＩ／Ｆ６４、及び無線処理回路６５は、バス６６を介して互いに接続される。
【００３３】
記憶部６３は、Hard Disk Drive（ＨＤＤ）、Solid State Drive（ＳＳＤ）、及びフラッシュメモリ等によって実現することができる。記憶媒体としての記憶部６３には、基地局制御プログラム７０が記憶される。ＣＰＵ６１は、基地局制御プログラム７０を記憶部６３から読み出し、読み出した基地局制御プログラム７０をメモリ６２に展開してから実行する。ＣＰＵ６１が、基地局制御プログラム７０を実行することによって、図２に示す受信状態判定部２２、優先度判定部２４、及び応答信号生成部２６として機能する。また、受信部２０及び送信部２８は、無線処理回路６５によって実現される。なお、ＣＰＵ６１は、ハードウェアプロセッサである。
【００３４】
また、基地局制御プログラム７０により実現される機能は、例えば半導体集積回路、より詳しくはApplication Specific Integrated Circuit（ＡＳＩＣ）等で実現することも可能である。
【００３５】
次に、図５を参照して、本実施形態に係る端末１４のハードウェア構成を説明する。図５に示すように、端末１４は、ＣＰＵ８１、一時記憶領域としてのメモリ８２、不揮発性の記憶部８３、及び無線処理回路８５を備える。ＣＰＵ８１、メモリ８２、記憶部８３、及び無線処理回路８５は、バス８６を介して互いに接続される。
【００３６】
記憶部８３は、フラッシュメモリ等によって実現することができる。記憶媒体としての記憶部８３には、端末制御プログラム９０が記憶される。ＣＰＵ８１は、端末制御プログラム９０を記憶部８３から読み出し、読み出した端末制御プログラム９０をメモリ８２に展開してから実行する。ＣＰＵ８１が、端末制御プログラム９０を実行することによって、図３に示す検出部４４及び制御部４６として機能する。また、送信部４０及び受信部４２は、無線処理回路８５によって実現される。なお、ＣＰＵ８１は、ハードウェアプロセッサである。
【００３７】
また、端末制御プログラム９０により実現される機能は、例えば半導体集積回路、より詳しくはＡＳＩＣ等で実現することも可能である。
【００３８】
次に、図６Ａ、６Ｂを参照して、本実施形態に係る無線通信システム１０の作用を説明する。なお、本実施形態では、一例として、２台の端末１４が、同じグループとして共有の無線リソースを予め割り当てられた場合について説明する。また、本実施形態では、２台の端末１４を区別する場合は、一方を端末１４＃Ａ−１と表記し、他方を端末１４＃Ａ−２と表記する。
【００３９】
なお、図６Ｂは、基地局１２、端末１４＃Ａ−１、及び端末１４＃Ａ−２の処理のチャートを示す。また、図６Ａは、各スロットの概念図を示し、縦方向が周波数軸であり、横方向が時間軸である。また、本実施形態では、ｎ番目のスロットをスロット＃ｎ（ｓｌｏｔ＃ｎ）と表記する。すなわち、例えば、スロット＃ｎの次のスロットはスロット＃ｎ＋１と表記する。また、図６Ａにおける「ＵＥＧ−Ａリソース」は各スロットにおいて端末１４＃Ａ−１及び端末１４＃Ａ−２の双方に割り当てられた共有の無線リソースを示す。また、図６Ａにおける「ＡＣＫ／ＮＡＣＫ」は、各スロットの「ＵＥＧ−Ａリソース」を用いて端末１４から送信された第１信号に対応する第２信号を、基地局１２から端末１４へ送信するタイミングを表す。
【００４０】
図７に、第２信号の無線リソースの割り当ての一例を示す。図７に示すように、本実施形態では、第２信号用の無線リソースとして、端末１４＃Ａ−１及び端末１４＃Ａ−２の各々に対して、Resource Element（ＲＥ）が割り当てられる。また、基地局１２は、端末１４に第２信号を送信する際に、Quadrature Phase Shift Keying（ＱＰＳＫ）によって、それぞれ異なる２ビットのビット列をＡＣＫ、ＮＡＣＫ０、及びＮＡＣＫ１にマッピングした情報の何れかを第２信号に含める。従って、端末１４は、受信した第２信号から、第１信号の送信が正常に終了したか、又は第１信号の再送が要求されているかを判別することができる。また、端末１４は、第１信号の再送が要求されている場合に、どのタイミングでどの無線リソースを用いて第１信号を再送すればよいかも判別することができる。なお、図７では、一例としてＱＰＳＫを用いた場合について説明したが他の変調方式（例えば、ＢＰＳＫ、ＱＡＭ等）を用いても良い。
【００４１】
図６Ｂに示すステップＳ１０及びＳ１１で、端末１４＃Ａ−１及び端末１４＃Ａ−２それぞれにおいて、上位層で送信対象のデータが発生し、送信部４０にデータが入力される。送信部４０は、入力されたデータを送信バッファに一時的に保持する。また、制御部４６は、送信部４０に対し、端末１４に割り当てられた共有の無線リソースを用いて、発生したデータを含む第１信号を基地局１２に送信する制御を行う。なお、端末１４＃Ａ−１及び端末１４＃Ａ−２のデータ発生のタイミング（Ｓ１０、Ｓ１１）は、同時でも良いし、異なってもよい。
【００４２】
ステップＳ１２及びＳ１３で、端末１４＃Ａ−１及び端末１４＃Ａ−２の送信部４０は、前述したように、制御部４６による制御により、各端末１４に割り当てられたスロット＃ｎの共有の無線リソースを用いて、第１信号を基地局１２に送信する。基地局１２の受信部２０は、ステップＳ１２及びＳ１３で端末１４＃Ａ−１及び端末１４＃Ａ−２から送信された第１信号を受信する。
【００４３】
ステップＳ１２及びＳ１３で端末１４＃Ａ−１及び端末１４＃Ａ−２の各々から送信された第１信号は、スロット＃ｎの同じ周波数帯域の無線リソース（共有無線リソース）が用いられているため、干渉によって基地局１２の第１信号の受信品質が低下する。従って、ステップＳ１４で、基地局１２の受信状態判定部２２は、前述したように、第１信号の衝突が発生したと判定する。また、受信状態判定部２２は、前述したように、受信部２０により受信された第１信号の送信元の端末１４＃Ａ−１及び端末１４＃Ａ−２を特定する。
【００４４】
また、優先度判定部２４は、前述したように、受信状態判定部２２により特定された端末１４＃Ａ−１及び端末１４＃Ａ−２における第１信号の再送の優先度を判定する。なお、ここでは、優先度判定部２４が、端末１４＃Ａ−１を優先度が高いと判定し、端末１４＃Ａ−２を優先度が低いと判定した場合について説明する。
【００４５】
そして、応答信号生成部２６は、優先度判定部２４により優先度が高いと判定された端末１４＃Ａ−１に対してはＮＡＣＫ１を生成し、優先度判定部２４により優先度が低いと判定された端末１４＃Ａ−２に対してはＮＡＣＫ０を生成する。
【００４６】
ステップＳ１６で、送信部２８は、前述したように、応答信号生成部２６により生成されたＮＡＣＫ１を端末１４＃Ａ−１に送信する。また、ステップＳ１８で、送信部２８は、前述したように、応答信号生成部２６により生成されたＮＡＣＫ０を端末１４＃Ａ−２に送信する。
【００４７】
端末１４＃Ａ−１の受信部４２は、ステップＳ１６で基地局１２から送信されたＮＡＣＫ１を受信する。すなわち、端末１４＃Ａ−１の検出部４４により第２信号がＮＡＣＫ１であると検出され、制御部４６が送信部４０に対し、第１の送信タイミング（本実施形態では、スロット＃ｎ＋１）で第１信号を再送する指示を出力する。そして、ステップＳ２０で、端末１４＃Ａ−１の送信部４０は、前述したように、スロット＃ｎ＋１の無線リソースを用いて、第１信号を基地局１２に再送信する。
【００４８】
ステップＳ２０で端末１４＃Ａ−１から送信された第１信号は、基地局１２により正常に受信され、基地局１２の受信状態判定部２２により第１信号が正常に受信できたと判定される。すなわち、基地局１２の応答信号生成部２６は、端末１４＃Ａ−１に対してＡＣＫを生成する。そして、ステップＳ２２で、送信部２８は、前述したように、応答信号生成部２６により生成されたＡＣＫを端末１４＃Ａ−１に送信する。
【００４９】
端末１４＃Ａ−２の受信部４２は、ステップＳ１８で基地局１２から送信されたＮＡＣＫ０を受信する。すなわち、端末１４＃Ａ−２の検出部４４により第２信号がＮＡＣＫ０であると検出され、制御部４６が送信部４０に対し、第１の送信タイミングでは第１信号を再送せずに、第２の送信タイミング（本実施形態では、スロット＃ｎ＋２）で第１信号を再送する指示を出力する。そして、ステップＳ２４で、端末１４＃Ａ−２の送信部４０は、前述したように、スロット＃ｎ＋２の無線リソースを用いて、第１信号を基地局１２に再送信する。
【００５０】
ステップＳ２４で端末１４＃Ａ−２から送信された第１信号は、基地局１２により正常に受信され、基地局１２の受信状態判定部２２により第１信号が正常に受信できたと判定される。すなわち、基地局１２の応答信号生成部２６は、端末１４＃Ａ−２に対してＡＣＫを生成する。そして、ステップＳ２６で、送信部２８は、前述したように、応答信号生成部２６により生成されたＡＣＫを端末１４＃Ａ−２に送信する。
【００５１】
以上説明したように、本実施形態によれば、基地局１２が、第１信号の再送を要求する場合に、再送に用いる無線リソースに関する情報を第２信号に含めている。また、この再送に用いる無線リソースに関する情報は、第１の送信タイミングでの再送が可能か否かを示す情報を含む。従って、再送時の衝突の発生が抑制される結果、再送発生の可能性が低減され、伝送遅延時間の増加を抑制することができる。
【００５２】
なお、図６の例では、共有の無線リソースが割り当てられた端末１４が２台である場合について説明したが、これに限定されない。共有の無線リソースが割り当てられる端末１４は、３台以上でもよい。３台以上の端末１４から同じタイミングで共有の無線リソースを用いて第１信号が送信された場合、基地局１２は１台の端末１４にＮＡＣＫ１を送信し、他の端末１４にＮＡＣＫ０を送信する形態が例示される。この場合、他の端末１４が第１信号を再送する際に再度衝突が発生する可能性はあるが、同様のＮＡＣＫ０及びＮＡＣＫ１を端末１４に送信する処理を繰り返すことにより、最終的に衝突は解消される。
【００５３】
また、本実施形態では、第１の送信タイミングでの再送が可能か否かを示す情報を第２信号に含める場合について説明したが、これに限定されない。例えば、何スロット後に再送が可能であるかを示す情報を第２信号に含める形態としてもよい。この場合、例えば、３台の端末１４から同じタイミングで共有の無線リソースを用いて第１信号が送信された場合、３台のうちの１台目の端末１４に、１スロット後のスロット（図６の例ではスロット＃ｎ＋１）での再送が可能であることを示す情報を含めた第２信号を送信する。また、この場合、３台のうちの２台目の端末１４に、２スロット後のスロットでの再送が可能であることを示す情報を含めた第２信号を送信する。さらに、この場合、３台のうちの３台目の端末１４に、３スロット後のスロットでの再送が可能であることを示す情報を含めた第２信号を送信する。
【００５４】
また、無線環境の影響等で、端末１４＃Ａ−１がステップＳ２０で送信した第１信号が基地局１２で正常に受信されなかった場合、端末１４＃Ａ−１に対してのＮＡＣＫ信号として、端末１４＃Ａ−２の送信タイミング（第２の送信タイミング）と異なる送信タイミングを含めたＮＡＣＫ信号を送信するようにしても良い。このようにすることで、端末１４＃Ａ−１の再送の再送と、端末１４＃Ａ−２の再送との送信タイミング（送信スロット）を別々にすることが可能になる。なお、端末１４＃Ａ−１を優先的に通信させるために、例えば、第１のタイミングで送信された第１信号に対してのＮＡＣＫを端末１４＃Ａ−１に送信する際に、端末１４＃Ａ−２に対して、さらに送信タイミングを変更するような指示情報を送信しても良い。また、基地局１２は、第１の送信タイミングで送信された第１信号に対してのＡＣＫを送信する際に、第２の送信タイミングで第１信号を送信する端末１４＃Ａ−２に対して、第１信号の送信タイミングを早める指示情報を送信しても良い。
【００５５】
［第２実施形態］
開示の技術の第２実施形態について説明する。なお、本実施形態に係る無線通信システム１０の構成は、第１実施形態と同様であるため、説明を省略する。本実施形態では、各端末１４には、端末１４が基地局１２にデータを送信する際に用いられる複数の端末１４が共有する複数（本実施形態では、２つ）の無線リソースが基地局１２によって予め割り当てられている。また、この複数の無線リソースは、各々周波数帯域が異なるとする。
【００５６】
次に、図２を参照して、本実施形態に係る基地局１２の機能的な構成を説明する。なお、第１実施形態と同一の機能を有する機能部については、第１実施形態と同一の符号を付して説明を省略する。図２に示すように、基地局１２は、受信部２０、受信状態判定部２２、優先度判定部２４、応答信号生成部２６Ａ、及び送信部２８を含む。
【００５７】
応答信号生成部２６Ａは、端末１４から送信された第１信号に対する応答として、第２信号を生成する。本実施形態では、応答信号生成部２６Ａは、受信状態判定部２２により第１信号が正常に受信できたと判定された場合、第２信号として、第１信号が正常に受信できたことを表すＡＣＫを生成する。
【００５８】
また、応答信号生成部２６Ａは、受信状態判定部２２により第１信号が正常に受信されなかった場合、第２信号として、ＨＡＲＱに従って第１信号の送信元の端末１４に再送を要求するＮＡＣＫを生成する。本実施形態では、応答信号生成部２６Ａは、第１信号の送信元の端末１４が第１信号の再送に用いる無線リソースに関する情報をＮＡＣＫに含める。
【００５９】
具体的には、応答信号生成部２６Ａは、優先度判定部２４により再送の優先度が高いと判定された端末１４に対して、今回の第１信号の送信に使用した無線リソースに対応する無線リソースを用いて第１信号を再送することを示す情報を含むＮＡＣＫ（以下、「ＮＡＣＫ２」という）を生成する。また、応答信号生成部２６Ａは、優先度判定部２４により再送の優先度が低いと判定された端末１４に対して、以下に示すＮＡＣＫを生成する。すなわち、この場合、応答信号生成部２６Ａは、今回の第１信号の送信に使用した無線リソースとは異なる無線リソースに対応する無線リソースを用いて第１信号を再送することを示す情報を含むＮＡＣＫ（以下、「ＮＡＣＫ３」という）を生成する。なお、応答信号生成部２６Ａは、優先度判定部２４により再送の優先度が高いと判定された端末１４に対してＮＡＣＫ３を生成し、再送の優先度が低いと判定された端末１４に対してＮＡＣＫ２を生成してもよい。
【００６０】
次に、図３を参照して、本実施形態に係る端末１４の機能的な構成を説明する。なお、第１実施形態と同一の機能を有する機能部については、第１実施形態と同一の符号を付して説明を省略する。図３に示すように、端末１４は、送信部４０、受信部４２、検出部４４Ａ、及び制御部４６Ａを含む。
【００６１】
検出部４４Ａは、受信部４２による受信処理を経た第２信号が、ＡＣＫであるか、ＮＡＣＫ２であるか、又はＮＡＣＫ３であるかを検出する。
【００６２】
制御部４６Ａは、アプリケーション等の上位層においてデータが発生した場合、送信部４０に対し、端末１４に割り当てられた共有の無線リソースの何れかを用いて、発生したデータを含む第１信号を基地局１２に送信する制御を行う。また、制御部４６Ａは、検出部４４Ａにより第２信号がＡＣＫであると検出された場合、上位層に対して第１信号の送信が正常に終了したことを通知する。
【００６３】
また、制御部４６Ａは、検出部４４Ａにより第２信号がＮＡＣＫ２であると検出された場合、送信部４０に対し、次の送信タイミングで、今回使用した無線リソースに対応する無線リソースを用いて第１信号を再送する指示を出力する。また、制御部４６Ａは、検出部４４Ａにより第２信号がＮＡＣＫ３であると検出された場合、送信部４０に対し、次の送信タイミングで、今回使用した無線リソースとは異なる無線リソースに対応する無線リソースを用いて第１信号を再送する指示を出力する。
【００６４】
基地局１２及び端末１４のハードウェア構成は、各々第１実施形態と同様（図４及び図５参照）であるため説明を省略する。
【００６５】
次に、図８Ａ、８Ｂを参照して、本実施形態に係る無線通信システム１０の作用を説明する。なお、本実施形態では、２台の端末１４が、同じグループとして２つの共有の無線リソースを予め割り当てられた場合について説明する。また、本実施形態では、２台の端末１４を区別する場合は、一方を端末１４＃Ａ−１と表記し、他方を端末１４＃Ａ−２と表記する。また、図８Ａにおける「ＵＥＧ−Ａ１リソース」及び「ＵＥＧ−Ａ２リソース」は各スロットにおいて端末１４＃Ａ−１及び端末１４＃Ａ−２の双方に割り当てられた２つの共有の無線リソースを示す。また、図８Ｂにおける図６Ｂと同一の処理を実行するステップについては、同一の符号を付して説明を省略する。
【００６６】
図８ＢのステップＳ１２Ａ及びＳ１３Ａで、端末１４＃Ａ−１、Ａ−２の送信部４０は、前述したように、制御部４６Ａによる制御により、各端末１４に割り当てられたスロット＃ｎの共有の無線リソースの何れかを用いて、第１信号を基地局１２に送信する。なお、ここでは、ステップＳ１２Ａ及びＳ１３Ａで、端末１４＃Ａ−１及び端末１４＃Ａ−２の双方が、ＵＥＧ−Ａ１リソースを用いて第１信号を基地局１２に送信した場合について説明する。基地局１２の受信部２０は、ステップＳ１２Ａ及びＳ１３Ａで端末１４から送信された第１信号を受信する。
【００６７】
ステップＳ１２Ａ及びＳ１３Ａで端末１４＃Ａ−１及び端末１４＃Ａ−２の各々から送信された第１信号は、同じタイミング（スロット）で同じ周波数帯域の無線リソースが用いられているため、干渉によって基地局１２の第１信号の受信品質が低下する。従って、ステップＳ１４で第１実施形態と同様の基地局１２の受信状態判定部２２及び優先度判定部２４による処理が実行される。そして、応答信号生成部２６Ａは、優先度判定部２４により優先度が高いと判定された端末１４＃Ａ−１に対してはＮＡＣＫ２を生成し、優先度判定部２４により優先度が低いと判定された端末１４＃Ａ−２に対してはＮＡＣＫ３を生成する。
【００６８】
ステップＳ１６Ａで、送信部２８は、応答信号生成部２６Ａにより生成されたＮＡＣＫ２を端末１４＃Ａ−１に送信する。また、ステップＳ１８Ａで、送信部２８は、応答信号生成部２６Ａにより生成されたＮＡＣＫ３を端末１４＃Ａ−２に送信する。
【００６９】
端末１４＃Ａ−１の受信部４２は、ステップＳ１６Ａで基地局１２から送信されたＮＡＣＫ２を受信する。すなわち、端末１４＃Ａ−１の検出部４４Ａにより第２信号がＮＡＣＫ２であると検出される。この検出の結果、端末１４＃Ａ−１の制御部４６Ａが送信部４０に対し、第１の送信タイミング（本実施形態では、スロット＃ｎ＋１）で今回使用した無線リソースに対応する無線リソース（本実施形態では、ＵＥＧ−Ａ１リソース）を用いて第１信号を再送する指示を出力する。そして、ステップＳ２０Ａで、端末１４＃Ａ−１の送信部４０は、前述したように、スロット＃ｎ＋１のＵＥＧ−Ａ１リソースを用いて、第１信号を基地局１２に再送信する。
【００７０】
端末１４＃Ａ−２の受信部４２は、ステップＳ１８Ａで基地局１２から送信されたＮＡＣＫ３を受信する。すなわち、端末１４＃Ａ−２の検出部４４Ａにより第２信号がＮＡＣＫ３であると検出される。この検出の結果、端末１４＃Ａ−２の制御部４６Ａが送信部４０に対し、第１の送信タイミングで、今回使用した無線リソースとは異なる無線リソースに対応する無線リソース（本実施形態では、ＵＥＧ−Ａ２リソース）を用いて第１信号を再送する指示を出力する。そして、ステップＳ２４Ａで、端末１４＃Ａ−２の送信部４０は、前述したように、スロット＃ｎ＋１のＵＥＧ−Ａ２リソースを用いて、第１信号を基地局１２に再送信する。
【００７１】
ステップＳ２０Ａで端末１４＃Ａ−１から送信された第１信号、及びステップＳ２４Ａで端末１４＃Ａ−２から送信された第１信号は、異なる周波数帯域の無線リソースを用いて送信されているため、衝突が発生しない。従って、第１実施形態と同様に、ステップＳ２２で、基地局１２が端末１４＃Ａ−１から送信された第１信号を正常に受信できている場合に、送信部２８は、ＡＣＫを端末１４＃Ａ−１に送信する。また、ステップＳ２６で、基地局１２が端末１４＃Ａ−２から送信された第１信号を正常に受信できている場合に、送信部２８は、ＡＣＫを端末１４＃Ａ−２に送信する。
【００７２】
以上説明したように、本実施形態によれば、基地局１２が、第１信号の再送を要求する場合に、再送に用いる無線リソースに関する情報を第２信号に含めている。また、この再送に用いる無線リソースに関する情報は、今回使用された無線リソースに対応する無線リソースであるか、又は今回使用された無線リソースとは異なる無線リソースに対応する無線リソースであるかを示す情報を含む。従って、第１実施形態に比較して、伝送遅延時間を短縮することができる。
【００７３】
なお、第１実施形態と第２実施形態とを組み合わせてもよい。例えば、再送の優先度が高い順に、端末１４に対する第２信号に以下に示す情報を含める形態が例示される。
（１）次の送信タイミングでの再送が可能であり、かつ今回の第１信号の送信に使用した無線リソースに対応する無線リソースを用いて第１信号を再送する。
（２）次の送信タイミングでの再送が可能であり、かつ今回の第１信号の送信に使用した無線リソースとは異なる無線リソースに対応する無線リソースを用いて第１信号を再送する。
（３）次の送信タイミングでの再送が不可であり、かつ今回の第１信号の送信に使用した無線リソースに対応する無線リソースを用いて第１信号を再送する。
（４）次の送信タイミングでの再送が不可であり、かつ今回の第１信号の送信に使用した無線リソースとは異なる無線リソースに対応する無線リソースを用いて第１信号を再送する。
なお、再送の優先度が高い順に、（２）、（１）、（３）、（４）の順番でもよいし、（２）、（１）、（４）、（３）の順番でもよい。
【００７４】
［第３実施形態］
開示の技術の第３実施形態について説明する。なお、本実施形態に係る無線通信システム１０の構成は、第２実施形態と同様であるため、説明を省略する。本実施形態では、複数のグループの何れかのグループに端末１４が属する。そして、グループ毎に、端末１４が基地局１２にデータを送信する際に用いられる共有の複数の無線リソースが基地局１２によって予め割り当てられている。また、各無線リソースは、各々周波数帯域が異なる。
【００７５】
第１実施形態及び第２実施形態では、共有の無線リソースを何れの端末１４も使用しなかった場合、無線リソースの使用効率が低下する。そこで、本実施形態に係る端末１４は、割り当てられた無線リソースを使用する場合、第１信号の送信前に、割り当てられた無線リソースを使用することを示す情報を含む第３信号を基地局１２に送信する。
【００７６】
次に、図９を参照して、本実施形態に係る基地局１２の機能的な構成を説明する。なお、第２実施形態に係る基地局１２と同一の機能を有する機能部については図２と同一の符号を付して説明を省略する。図９に示すように、基地局１２は、受信部２０Ａ、受信状態判定部２２、優先度判定部２４、応答信号生成部２６Ａ、及び送信部２８Ａを含む。また、基地局１２は、検出部３０及びリソース空き信号生成部３２を更に含む。
【００７７】
受信部２０Ａは、第２実施形態に係る受信部２０が有する機能に加え、以下の機能を有する。受信部２０Ａは、端末１４から第１信号の送信前に送信される、端末１４に割り当てられた共有の無線リソースを使用することを示す情報を含む第３信号を受信する。そして、受信部２０Ａは、受信した第３信号に対し、アナログ信号をデジタル信号へ変換する処理、及び高速フーリエ変換等の定められた受信処理を行う。
【００７８】
検出部３０は、受信部２０Ａにより第３信号が受信されたことを検出する。リソース空き信号生成部３２は、検出部３０により受信部２０Ａによって第３信号が受信されたことが検出されなかった場合、以下に示す第４信号を生成する。すなわち、この場合、リソース空き信号生成部３２は、第３信号に対応する端末１４に割り当てられた無線リソースが空いていることを示す情報を含む第４信号を生成する。また、リソース空き信号生成部３２は、検出部３０により受信部２０Ａによって第３信号が受信されたことが検出された場合は第４信号を生成しない。
【００７９】
送信部２８Ａは、第２実施形態に係る送信部２８が有する機能に加え、以下の機能を有する。送信部２８Ａは、リソース空き信号生成部３２により生成された第４信号を、第３信号に対応する端末１４に割り当てられた無線リソースとは異なる無線リソースが割り当てられた端末１４に送信する。
【００８０】
次に、図３を参照して、本実施形態に係る端末１４の機能的な構成を説明する。なお、第２実施形態と同一の機能を有する機能部については、第２実施形態と同一の符号を付して説明を省略する。図３に示すように、端末１４は、送信部４０Ａ、受信部４２Ａ、検出部４４Ｂ、及び制御部４６Ｂを含む。
【００８１】
送信部４０Ａは、第２実施形態に係る送信部４０が有する機能に加え、以下の機能を有する。送信部４０Ａは、制御部４６Ｂによる制御により、第３信号を、アンテナ素子１３を介して基地局１２に送信する。
【００８２】
受信部４２Ａは、第２実施形態に係る受信部４２が有する機能に加え、以下の機能を有する。受信部４２Ａは、基地局１２からアンテナ素子１１を介して送信された第４信号を、アンテナ素子１３を介して受信する。
【００８３】
検出部４４Ｂは、第２実施形態に係る検出部４４Ａが有する機能に加え、以下の機能を有する。検出部４４Ｂは、受信部４２Ａにより第４信号が受信されたことを検出する。
【００８４】
制御部４６Ｂは、第２実施形態に係る制御部４６Ａが有する機能に加え、以下の機能を有する。制御部４６Ｂは、アプリケーション等の上位層においてデータが発生した場合、送信部４０Ａに対し、第１信号の送信前に、第３信号を基地局１２に送信する制御を行う。
【００８５】
また、制御部４６Ｂは、検出部４４Ｂにより受信部４２Ａによって第４信号が受信されたことが検出された場合、送信部４０Ａに対し、第４信号に含まれる情報により特定される、空いている無線リソースを用いて第１信号を送信する指示を出力する。
【００８６】
基地局１２及び端末１４のハードウェア構成は、各々第１及び第２実施形態と同様（図４及び図５参照）であるため説明を省略する。なお、検出部３０及びリソース空き信号生成部３２も、ＣＰＵ６１が基地局制御プログラム７０を実行することによって実現される。
【００８７】
次に、図１０Ａ、１０Ｂを参照して、本実施形態に係る無線通信システム１０の作用を説明する。なお、本実施形態では、２台の端末１４＃Ａ−１及び端末１４＃Ａ−２が、同じグループ（以下、「グループＡ」という）として２つの共有の無線リソースを予め割り当てられた場合について説明する。図１０Ａにおける「ＵＥＧ−Ａ１リソース」及び「ＵＥＧ−Ａ２リソース」は各スロットにおいて端末１４＃Ａ−１及び端末１４＃Ａ−２の双方に割り当てられた２つの共有の無線リソースを示す。
【００８８】
また、２台の端末１４＃Ｂ−１及び端末１４＃Ｂ−２には、グループＡとは異なるグループ（以下、「グループＢ」という）として共有の無線リソースが割り当てられている。なお、図示は省略するが、２台の端末１４＃Ｂ−１及び端末１４＃Ｂ−２には、「ＵＥＧ−Ａ１リソース」及び「ＵＥＧ−Ａ２リソース」とは異なる周波数帯域の無線リソース（例えば、「ＵＥＧ−Ｂ１リソース」及び「ＵＥＧ−Ｂ２リソース」）が割り当てられている。
【００８９】
また、図１０Ａにおける「第３信号」は、各スロットの「ＵＥＧ−Ａ１リソース」及び「ＵＥＧ−Ａ２リソース」を用いて端末１４が第１信号を送信する前に第３信号を送信するタイミングを表す。また、図１０Ａにおける「第４信号」は、各スロットで端末１４から送信された第３信号に対応して基地局１２が第４信号を送信するタイミングを表す。
【００９０】
図１０Ｂに、第３実施形態の処理チャートを示す。図１０Ｂに示すステップＳ３０及びＳ３１で、端末１４＃Ａ−１及び端末１４＃Ｂ−１において、上位層で送信対象のデータが発生し、送信部４０Ａにデータが入力される。送信部４０Ａは、入力されたデータを送信バッファに一時的に保持する。ステップＳ３２で、端末１４＃Ａ−１の制御部４６Ｂは、送信部４０Ａに対し、グループＡに割り当てられた無線リソースを使用することを示す情報を含む第３信号を基地局１２に送信する制御を行う。端末１４＃Ａ−１の送信部４０Ａは、第３信号を基地局１２に送信する。なお、ここでは、端末１４＃Ｂ−１は、割り当てられた無線リソースが混雑している等の理由で、第１信号を基地局１２に送信しないものとする。また、端末１４＃Ａ−２は、送信対象のデータが発生していないため、第３信号を基地局１２に送信しない。なお、ステップＳ３１で発生したデータについては、何かしらの影響（例えば、送信制御の影響）で共有の無線リソース「ＵＥＧ−Ｂ１リソース」及び「ＵＥＧ−Ｂ２リソース」を用いて送信できないとする。
【００９１】
基地局１２の受信部２０Ａは、ステップＳ３２で端末１４＃Ａ−１から送信された第３信号を受信する。また、検出部３０は、受信部２０Ａにより第３信号が受信されたことを検出する。従って、リソース空き信号生成部３２により第４信号は生成されない。そして、ステップＳ３４で、端末１４＃Ａ−１の送信部４０Ａは、割り当てられた共有の無線リソース（ここでは、ＵＥＧ−Ａ１リソース）を用いて、第１信号を基地局１２に送信する。
【００９２】
基地局１２は、ステップＳ３４で端末１４＃Ａ−１から送信された第１信号に対して、ステップＳ１４と同様に、ステップＳ３５で衝突判定を行う。なお、衝突判定の前に第１信号が正常に受信されていると判定されている場合は、ステップＳ３５の衝突判定を行わなくても良い。基地局１２が正常に第１信号を受信した場合、第１実施形態のステップＳ２２と同様に、ステップＳ３６で、基地局１２の送信部２８Ａは、ＡＣＫを端末１４＃Ａ−１に送信する。また、基地局１２が正常に第１信号を受信できなかった場合、ステップＳ３６で、基地局１２の送信部２８Ａは、ＮＡＣＫを端末１４＃Ａ−１送信する。図１０Ｂでは、ステップＳ３６で基地局１２がＡＣＫを送信したものとして説明する。ステップＳ３６で送信されたＡＣＫは端末１４＃Ａ−１により受信されるため、端末１４＃Ａ−１では送信対象のデータは存在しなくなる。また、端末１４＃Ａ−２でも送信対象のデータは発生していない。すなわち、スロット＃ｎ＋１では、端末１４＃Ａ−１及び端末＃Ａ−２から第３信号が送信されない。
【００９３】
従って、基地局１２の検出部３０は、受信部２０Ａによりスロット＃ｎ＋１で第３信号が受信されたことを検出しない。そこで、リソース空き信号生成部３２は、グループＡに割り当てられた無線リソースが空いていることを示す情報を含む第４信号を生成する（ステップＳ３７）。そして、ステップＳ３８及びＳ３９で、基地局１２の送信部２８Ａは、前述したように、リソース空き信号生成部３２により生成された第４信号を端末１４＃Ｂ−１及び端末１４＃Ｂ−２に送信する。
【００９４】
端末１４＃Ｂ−１及び端末１４＃Ｂ−２の受信部４２Ａは、ステップＳ３８及びＳ３９で基地局１２から送信された第４信号を受信する。また、検出部４４Ｂは、受信部４２Ａにより第４信号が受信されたことを検出する。端末１４＃Ｂ−２では、送信対象のデータが発生していないが、端末１４＃Ｂ−１では、ステップＳ３１で送信対象のデータが発生している。
【００９５】
そこで、端末１４＃Ｂ−１の制御部４６Ｂは、送信部４０Ａに対し、第４信号に含まれる情報により特定される、空いている無線リソース（ここでは、ＵＥＧ−Ａ１リソース）を用いて第１信号を送信する指示を出力する。そして、ステップＳ４０で、端末１４＃Ｂ−１の送信部４０Ａは、ステップＳ３１で発生したデータを含む第１信号を基地局１２に送信する。
【００９６】
基地局１２は、ステップＳ４０で端末１４＃Ｂ−１から送信された第１信号に対してステップＳ４１で、ステップＳ３５と同様に衝突判定を行う。なお、衝突判定の前に第１信号が正常に受信されていると判定されている場合は、ステップＳ４１の衝突判定をしなくても良い。基地局１２が正常に第１信号を受信した場合、ステップＳ３６と同様に、ステップＳ４２で、基地局１２の送信部２８Ａは、ＡＣＫを端末１４＃Ｂ−１に送信する。なお、基地局１２が正常に第１信号を受信できていない場合は、基地局１２の送信部２８Ａは、ステップＳ４２でＮＡＣＫを端末１４＃Ｂ−１に送信する。
【００９７】
以上説明したように、本実施形態によれば、基地局１２が、第３信号を受信しなかった場合、第３信号に対応する端末１４に割り当てられた無線リソースとは異なる無線リソースが割り当てられた端末１４に対し、第４信号を送信している。従って、無線リソースの使用効率の低下を抑制することができる。
【００９８】
なお、共有の無線リソース「ＵＥＧ−Ｂ１リソース」及び「ＵＥＧ−Ｂ２リソース」を用いて第１信号を送信できないことを前提に説明したが、上記の共有無線リソースを含めて無線リソースの割り当てを行っても良い。
【００９９】
［第４実施形態］
開示の技術の第４実施形態について説明する。なお、本実施形態に係る無線通信システム１０の構成は、第３実施形態と同様であるため、説明を省略する。第３実施形態では、グループＢの端末１４が第４信号を受信した後に、グループＡの端末１４に割り当てられた無線リソースを用いて第１信号を送信し、第１信号の衝突が発生して再送を行う場合に、以下に示すことが発生する場合がある。すなわち、この場合、グループＡの端末１４が割り当てられた無線リソースを用いて第１信号を送信しようとして、衝突が発生してしまう場合がある。そこで、本実施形態では、基地局１２は、グループＢの端末１４から送信された第１信号に対応する第２信号をグループＢの端末１４に送信する場合に、以下に示す第５信号をグループＡの端末１４に送信する。すなわち、この場合、基地局１２は、グループＡの端末１４に割り当てられた無線リソースの使用を抑止する情報を含む第５信号をグループＡの端末１４に送信する。
【０１００】
次に、図１１を参照して、本実施形態に係る基地局１２の機能的な構成を説明する。なお、第３実施形態に係る基地局１２と同一の機能を有する機能部については図９と同一の符号を付して説明を省略する。図１１に示すように、基地局１２は、受信部２０Ａ、受信状態判定部２２、優先度判定部２４Ａ、応答信号生成部２６Ｂ、送信部２８Ｂ、検出部３０、リソース空き信号生成部３２、及び抑止信号生成部３４を含む。
【０１０１】
優先度判定部２４Ａは、受信状態判定部２２により第１信号の衝突が発生したと判定された場合、受信状態判定部２２により特定された第１信号の送信元の複数の端末１４における第１信号の再送の優先度を判定する。本実施形態では、優先度判定部２４Ａは、端末１４毎に予め定められたＱｏＳに従い、第１信号の再送の優先度を３段階で判定する。
【０１０２】
応答信号生成部２６Ｂは、端末１４から送信された第１信号に対する応答として、第２信号を生成する。本実施形態では、応答信号生成部２６Ｂは、受信状態判定部２２により第１信号が正常に受信できたと判定された場合、第２信号として、第１信号が正常に受信できたことを表すＡＣＫを生成する。
【０１０３】
また、応答信号生成部２６Ｂは、受信状態判定部２２により第１信号が正常に受信できなかった場合、第２信号として、ＨＡＲＱに従って第１信号の送信元の端末１４に再送を要求するＮＡＣＫを生成する。本実施形態では、応答信号生成部２６Ｂは、第１信号の送信元の端末１４が第１信号の再送に用いる無線リソースに関する情報をＮＡＣＫに含める。具体的には、応答信号生成部２６Ｂは、第１信号の送信元の端末１４毎に、優先度判定部２４Ａによる再送の優先度に従ってＮＡＣＫを生成する。
【０１０４】
より具体的には、応答信号生成部２６Ｂは、優先度判定部２４Ａにより再送の優先度が最も低いと判定された端末１４に対しては、第４信号を受信したときに再送が可能であることを示す情報を含むＮＡＣＫ（以下、「ＮＡＣＫ４」という）を生成する。また、応答信号生成部２６Ｂは、優先度判定部２４Ａにより再送の優先度が最も高いと判定された端末１４に対しては、以下に示すＮＡＣＫを生成する。すなわち、この場合、応答信号生成部２６Ｂは、第４信号を受信しなくても、今回の第１信号の送信に使用した無線リソースに対応する無線リソースを用いた第１信号の再送が可能であることを示す情報を含むＮＡＣＫ（以下、「ＮＡＣＫ５」という）を生成する。
【０１０５】
また、応答信号生成部２６Ｂは、優先度判定部２４Ａにより再送の優先度が２番目に高いと判定された端末１４に対しては、以下に示すＮＡＣＫを生成する。すなわち、この場合、応答信号生成部２６Ｂは、第４信号を受信しなくても、今回の第１信号の送信に使用した無線リソースとは異なる無線リソースに対応する無線リソースを用いた第１信号の再送が可能であることを示す情報を含むＮＡＣＫ（以下、「ＮＡＣＫ６」という）を生成する。
【０１０６】
抑止信号生成部３４は、受信状態判定部２２により第１信号の衝突が発生したと判定された場合、衝突が発生した無線リソースが割り当てられた端末１４に対して、割り当てられた無線リソースの使用を抑止する情報を含む第５信号を生成する。
【０１０７】
送信部２８Ｂは、第３実施形態に係る送信部２８Ａが有する機能に加え、以下の機能を有する。送信部２８Ｂは、第２信号を第１信号の送信元の端末１４に送信する場合に、以下に示す端末１４に、抑止信号生成部３４により生成された第５信号を送信する。すなわち、この場合、送信部２８Ｂは、第１信号の送信元の端末１４が第１信号の送信に用いた無線リソースが割り当てられた端末１４に第５信号を送信する。
【０１０８】
次に、図３を参照して、本実施形態に係る端末１４の機能的な構成を説明する。なお、第３実施形態と同一の機能を有する機能部については、第３実施形態と同一の符号を付して説明を省略する。図３に示すように、端末１４は、送信部４０Ａ、受信部４２Ｂ、検出部４４Ｃ、及び制御部４６Ｃを含む。
【０１０９】
受信部４２Ｂは、第３実施形態に係る受信部４２Ａが有する機能に加え、以下の機能を有する。受信部４２Ｂは、基地局１２からアンテナ素子１１を介して送信された第５信号を、アンテナ素子１３を介して受信する。
【０１１０】
検出部４４Ｃは、第３実施形態に係る検出部４４Ｂが有する機能に加え、以下の機能を有する。検出部４４Ｃは、受信部４２Ｂによる受信処理を経た第２信号が、ＡＣＫであるか、ＮＡＣＫ４であるか、ＮＡＣＫ５であるか、又はＮＡＣＫ６であるかを検出する。また、検出部４４Ｃは、受信部４２Ｂにより第５信号が受信されたことを検出する。
【０１１１】
制御部４６Ｃは、第３実施形態に係る制御部４６Ｂが有する機能に加え、以下の機能を有する。制御部４６Ｃは、検出部４４Ｃにより受信部４２Ｂによって第５信号が受信されたことが検出された場合、次の送信タイミングで第１信号の送信が可能であっても第１信号を送信しない制御を行う。
【０１１２】
また、制御部４６Ｃは、検出部４４Ｂにより第２信号がＮＡＣＫ４であると検出された場合は、検出部４４Ｃにより受信部４２Ｂによって第４信号が受信されたことが検出された場合に、送信部４０Ａに対し、以下に示す制御を行う。すなわち、この場合、制御部４６Ｃは、送信部４０Ａに対し、今回使用した無線リソースに対応する無線リソースを用いて第１信号を再送する指示を出力する。
【０１１３】
また、制御部４６Ｃは、検出部４４Ｃにより第２信号がＮＡＣＫ５であると検出された場合、送信部４０Ａに対し、次の送信タイミングで、今回使用した無線リソースに対応する無線リソースを用いて第１信号を再送する指示を出力する。また、制御部４６Ｃは、検出部４４Ｃにより第２信号がＮＡＣＫ６であると検出された場合、送信部４０Ａに対し、次の送信タイミングで、今回使用した無線リソースとは異なる無線リソースに対応する無線リソースを用いて第１信号を再送する指示を出力する。
【０１１４】
基地局１２及び端末１４のハードウェア構成は、各々第１〜第３実施形態と同様（図４及び図５参照）であるため説明を省略する。なお、抑止信号生成部３４も、ＣＰＵ６１が基地局制御プログラム７０を実行することによって実現される。
【０１１５】
次に、図１２Ａ、１２Ｂを参照して、本実施形態に係る無線通信システム１０の作用を説明する。なお、図１２Ａは、第４実施形態における無線リソースの割り当ての一例を示す図である。また、図１２Ｂは、図１２Ａに対応する基地局１２及び各端末（端末１４＃Ａ−１〜Ａ−３及び端末１４＃Ｂ１−Ｂ３）の処理シーケンスを示す一例である。なお、本実施形態では、３台の端末１４＃Ａ−１〜Ａ−３が、同じグループ（以下、「グループＡ」という）として２つの共有の無線リソースを予め割り当てられた場合について説明する。図１２Ａにおける「ＵＥＧ−Ａ１リソース」及び「ＵＥＧ−Ａ２リソース」は各スロットにおいて端末１４＃Ａ−１〜Ａ−３に割り当てられた２つの共有の無線リソースを示す。
【０１１６】
また、３台の端末１４＃Ｂ−１〜Ｂ−３には、グループＡとは異なるグループ（以下、「グループＢ」という）として共有の無線リソースが割り当てられている。なお、図示は省略するが、３台の端末１４＃Ｂ−１〜Ｂ−３に割り当てられた無線リソースは、「ＵＥＧ−Ａ１リソース」及び「ＵＥＧ−Ａ２リソース」とは異なる周波数帯域の無線リソースとされる。
【０１１７】
また、図１２Ａにおける「第５信号」は、各スロットの「ＵＥＧ−Ａ１リソース」及び「ＵＥＧ−Ａ２リソース」を用いて送信された第１信号に対応する第２信号を送信する際に第５信号を送信するタイミングを表す。
【０１１８】
図１２Ｂに示すステップＳ５０Ａ〜５０Ｃで、端末１４＃Ｂ−１〜Ｂ−３において、上位層で送信対象のデータが発生し、送信部４０Ａにデータが入力される。送信部４０Ａは、入力されたデータを送信バッファに一時的に保持する。端末１４＃Ａ−１〜Ａ−３は、送信対象のデータが発生していないため、第３信号を基地局１２に送信しない。すなわち、基地局１２は、スロット＃ｎでは第３信号を受信しない。なお、ステップＳ５０Ａ〜５０Ｃで発生したデータについては、何かしらの影響（例えば、送信制御の影響）で共有の無線リソース「ＵＥＧ−Ｂ１リソース」及び「ＵＥＧ−Ｂ２リソース」を用いて送信できないとする。
【０１１９】
従って、基地局１２の検出部３０は、受信部２０Ａにより第３信号が受信されたことを検出しない。そこで、リソース空き信号生成部３２は、グループＡに割り当てられた無線リソースが空いていることを示す情報を含む第４信号を生成する（ステップＳ５１）。そして、ステップＳ５２Ａ〜５２Ｃで、基地局１２の送信部２８Ｂは、前述したように、リソース空き信号生成部３２により生成された第４信号を端末１４＃Ｂ−１〜Ｂ−３に送信する。
【０１２０】
端末１４＃Ｂ−１〜Ｂ−３の受信部４２Ｂは、ステップＳ５２Ａ〜５２Ｃで基地局１２から送信された第４信号を受信する。また、検出部４４Ｃは、受信部４２Ｂにより第４信号が受信されたことを検出する。また、端末１４＃Ｂ−１〜Ｂ−３では、ステップＳ５０Ａ〜５０Ｃで送信対象のデータが発生している。
【０１２１】
そこで、端末１４＃Ｂ−１〜Ｂ−３の制御部４６Ｃは、送信部４０Ａに対し、第４信号に含まれる情報により特定される、空いている無線リソース（ここでは、ＵＥＧ−Ａ１リソース）を用いて第１信号を送信する指示を出力する。そして、ステップＳ５４Ａ〜５４Ｃで、端末１４＃Ｂ−１〜Ｂ−３の送信部４０Ａは、ステップＳ５０Ａ〜５０Ｃで発生したデータを含む第１信号を基地局１２に送信する。
【０１２２】
ステップＳ５４Ａ〜５４Ｃで端末１４＃Ｂ−１〜Ｂ−３の各々から送信された第１信号は、第１の送信タイミングで同じ周波数帯域の無線リソースを用いて送信されているため、干渉によって基地局１２の第１信号の受信品質が低下する。従って、ステップＳ５６で、基地局１２の受信状態判定部２２は、前述したように、第１信号の衝突が発生したと判定する。また、受信状態判定部２２は、前述したように、受信部２０Ａにより受信された第１信号の送信元の端末１４＃Ｂ−１〜Ｂ−３を特定する。
【０１２３】
また、優先度判定部２４Ａは、前述したように、受信状態判定部２２により特定された第１信号の送信元の端末１４＃Ｂ−１〜Ｂ−３における第１信号の再送の優先度を判定する。なお、ここでは、優先度判定部２４Ａが、端末１４＃Ｂ−３を優先度が最も低いと判定し、端末１４＃Ｂ−１を最も優先度が高いと判定し、端末１４＃Ｂ−２を優先度が２番目に高いと判定した場合について説明する。応答信号生成部２６Ｂは、前述したように、優先度判定部２４Ａによる優先度の判定結果に従い、端末１４＃Ｂ−３に対してはＮＡＣＫ４を生成し、端末１４＃Ｂ−２に対してはＮＡＣＫ６を生成し、端末１４＃Ｂ−１に対してはＮＡＣＫ５を生成する。
【０１２４】
また、抑止信号生成部３４は、「ＵＥＧ−Ａ１リソース」及び「ＵＥＧ−Ａ２リソース」が割り当てられた端末１４＃Ａ−１〜Ａ−３に対して端末１４＃Ａ−１〜Ａ−３に割り当てられた無線リソースの使用を抑止する情報を含む第５信号を生成する。
【０１２５】
ステップＳ５８で、送信部２８Ｂは、応答信号生成部２６Ｂにより生成されたＮＡＣＫ５を端末１４＃Ｂ−１に送信する。また、ステップＳ６０で、送信部２８Ｂは、応答信号生成部２６Ｂにより生成されたＮＡＣＫ６を端末１４＃Ｂ−２に送信する。また、ステップＳ６２で、送信部２８Ｂは、応答信号生成部２６Ｂにより生成されたＮＡＣＫ４を端末１４＃Ｂ−３に送信する。
【０１２６】
さらに、ステップＳ６４Ａ〜６４Ｃで、送信部２８Ｂは、抑止信号生成部３４により生成された第５信号を端末１４＃Ａ−１〜Ａ−３に送信する。端末１４＃Ａ−１〜Ａ−３の受信部４２Ｂは、ステップＳ６４Ａ〜６４Ｃで基地局１２から送信された第５信号を受信する。従って、端末１４＃Ａ−１〜Ａ−３は、送信対象のデータが発生していたとしても、スロット＃ｎ＋１で第１信号を基地局１２に送信しない。
【０１２７】
また、端末１４＃Ｂ−１の受信部４２Ｂは、ステップＳ５８で基地局１２から送信されたＮＡＣＫ５を受信する。すなわち、端末１４＃Ｂ−１の検出部４４Ｃにより第２信号がＮＡＣＫ５であると検出される。この検出の結果、端末１４＃Ｂ−１の制御部４６Ｃが送信部４０Ａに対し、第１の送信タイミング（本実施形態では、スロット＃ｎ＋１）で今回使用した無線リソースに対応する無線リソース（本実施形態では、ＵＥＧ−Ａ１リソース）を用いて第１信号を再送する指示を出力する。そして、ステップＳ６６で、端末１４＃Ｂ−１の送信部４０Ａは、前述したように、スロット＃ｎ＋１のＵＥＧ−Ａ１リソースを用いて、第１信号を基地局１２に再送信する。
【０１２８】
また、端末１４＃Ｂ−２の受信部４２Ｂは、ステップＳ６０で基地局１２から送信されたＮＡＣＫ６を受信する。すなわち、端末１４＃Ｂ−２の検出部４４Ｃにより第２信号がＮＡＣＫ６であると検出される。この検出の結果、端末１４＃Ｂ−２の制御部４６Ｃが送信部４０Ａに対し、第１の送信タイミング（本実施形態では、スロット＃ｎ＋１）で、今回使用した無線リソースとは異なる無線リソースに対応する無線リソース（本実施形態では、ＵＥＧ−Ａ２リソース）を用いて第１信号を再送する指示を出力する。そして、ステップＳ６８で、端末１４＃Ｂ−２の送信部４０Ａは、前述したように、スロット＃ｎ＋１のＵＥＧ−Ａ２リソースを用いて、第１信号を基地局１２に再送信する。
【０１２９】
また、端末１４＃Ｂ−３の受信部４２Ｂは、ステップＳ６２で基地局１２から送信されたＮＡＣＫ４を受信する。すなわち、端末１４＃Ｂ−３の検出部４４Ｃにより第２信号がＮＡＣＫ４であると検出される。また、端末１４＃Ｂ−３の受信部４２Ｂは、スロット＃ｎ＋１で第４信号を受信していない。従って、端末１４＃Ｂ−３は、スロット＃ｎ＋１では第１信号の再送を行わない。
【０１３０】
ステップＳ６６で端末１４＃Ｂ−１から送信された第１信号、及びステップＳ６８で端末１４＃Ｂ−２から送信された第１信号は、異なる周波数帯域の無線リソースを用いて送信されているため、衝突が発生しない。従って、第２実施形態と同様に、ステップＳ７０Ａ及び７０Ｂで、基地局１２の送信部２８Ｂは、ＡＣＫまたは、ＮＡＣＫを端末１４＃Ｂ−１及び端末１４＃Ｂ−２に送信する。なお、以下では、基地局１２の送信部２８ＢがＡＣＫを送信したとして説明する。
【０１３１】
また、端末１４＃Ａ−１〜Ａ−３は、送信対象のデータが発生していないため、第３信号を基地局１２に送信しない。すなわち、基地局１２は、スロット＃ｎ＋２では第３信号を受信しない。
【０１３２】
従って、基地局１２の検出部３０は、受信部２０Ａにより第３信号が受信されたことを検出しない。そこで、リソース空き信号生成部３２は、第４信号を生成する。そして、ステップＳ７２Ａ〜７２Ｃで、基地局１２の送信部２８Ｂは、前述したように、リソース空き信号生成部３２により生成された第４信号を端末１４＃Ｂ−１〜Ｂ−３に送信する。
【０１３３】
端末１４＃Ｂ−１〜Ｂ−３の受信部４２Ｂは、ステップＳ７２Ａ〜７２Ｃで基地局１２から送信された第４信号を受信する。また、検出部４４Ｃは、受信部４２Ｂにより第４信号が受信されたことを検出する。
【０１３４】
そこで、端末１４＃Ｂ−３の制御部４６Ｃは、送信部４０Ａに対し、第４信号に含まれる情報により特定される、空いている無線リソース（ここでは、ＵＥＧ−Ａ１リソース）を用いて第１信号を再送する指示を出力する。そして、ステップＳ７４で、端末１４＃Ｂ−３の送信部４０Ａは、前述したように、スロット＃ｎ＋２のＵＥＧ−Ａ１リソースを用いて、第１信号を基地局１２に再送信する。
【０１３５】
ステップＳ７４で端末１４＃Ｂ−３から送信された第１信号は、衝突が発生しない。ステップＳ７６で、ステップＳ７０Ａと同様に、基地局１２の送信部２８Ｂは、ＡＣＫまたは、ＮＡＣＫを端末１４＃Ｂ−３に送信する。
【０１３６】
以上説明したように、本実施形態によれば、基地局１２が、端末１４＃Ｂ−１〜Ｂ−３に第２信号を送信する場合に、更に、端末１４＃Ａ−１〜Ａ−３に第５信号を送信する。従って、衝突の発生が抑制される結果、伝送遅延時間の増加を抑制することができる。
【０１３７】
なお、共有の無線リソース「ＵＥＧ−Ｂ１リソース」及び「ＵＥＧ−Ｂ２リソース」を用いて第１信号を送信できないことを前提に説明したが、上記の共有無線リソースを含めて無線リソースの割り当てを行っても良い。
【０１３８】
なお、上記各実施形態で説明したスロットは、Long Term Evolution（ＬＴＥ）におけるスロットでもよいし、ＬＴＥにおけるスロットが複数に分割されたミニスロットでもよい。
【０１３９】
なお、上記各実施形態では、基地局制御プログラム７０が記憶部６３に予め記憶（インストール）されている態様を説明したが、これに限定されない。基地局制御プログラム７０は、ＣＤ−ＲＯＭ、ＤＶＤ−ＲＯＭ、ＵＳＢメモリ、及びメモリカード等の記録媒体に記録された形態で提供することも可能である。
【０１４０】
また、上記各実施形態では、端末制御プログラム９０が記憶部８３に予め記憶されている態様を説明したが、これに限定されない。端末制御プログラム９０は、ＣＤ−ＲＯＭ、ＤＶＤ−ＲＯＭ、ＵＳＢメモリ、メモリカード等の記録媒体に記録された形態で提供することも可能である。
【符号の説明】
【０１４１】
１０  無線通信システム
１２  基地局
１４  端末
２０、２０Ａ、４２、４２Ａ、４２Ｂ  受信部
２２  受信状態判定部
２４、２４Ａ  優先度判定部
２６、２６Ａ、２６Ｂ  応答信号生成部
２８、２８Ａ、２８Ｂ、４０、４０Ａ  送信部
３０、４４、４４Ａ、４４Ｂ、４４Ｃ  検出部
３２  リソース空き信号生成部
３４  抑止信号生成部
４６、４６Ａ、４６Ｂ、４６Ｃ  制御部
６１、８１  ＣＰＵ
６３、８３  記憶部
６５、８５  無線処理回路
７０  基地局制御プログラム
９０  端末制御プログラム
【図１】
2019082367.tif 000003
【図２】
2019082367.tif 000004
【図３】
2019082367.tif 000005
【図４】
2019082367.tif 000006
【図５】
2019082367.tif 000007
【図６Ａ】
2019082367.tif 000008
【図６Ｂ】
2019082367.tif 000009
【図７】
2019082367.tif 000010
【図８Ａ】
2019082367.tif 000011
【図８Ｂ】
2019082367.tif 000012
【図９】
2019082367.tif 000013
【図１０Ａ】
2019082367.tif 000014
【図１０Ｂ】
2019082367.tif 000015
【図１１】
2019082367.tif 000016
【図１２Ａ】
2019082367.tif 000017
【図１２Ｂ】
2019082367.tif 000018
【図１３】
2019082367.tif 000019
【図１４】
2019082367.tif 000020
【手続補正書】
【提出日】令和2年3月10日(2020.3.10)
【手続補正１】
【補正対象書類名】特許請求の範囲
【補正対象項目名】全文
【補正方法】変更
【補正の内容】
【特許請求の範囲】
【請求項１】
Ｇｒａｎｔ−ｆｒｅｅ方式で無線通信装置と無線通信を行うことが可能な基地局であって、
前記無線通信装置に割り当てられた共有無線リソースを用いて前記無線通信装置から送信された第１信号を受信する受信部と、
前記無線通信装置に、前記第１信号に対しての再送要求する場合に、再送に用いる無線リソースに関する情報を含む第２信号を前記無線通信装置に送信する送信部と、
を含む基地局。
【請求項２】
前記再送に用いる無線リソースに関する情報は、再送における送信タイミングの情報を含む、
請求項１に記載の基地局。
【請求項３】
前記無線通信装置に複数の前記共有無線リソースが割り当てられており、
前記再送に用いる無線リソースに関する情報は、第１の共有無線リソースに対応するか、又は前記第１の共有無線リソースと異なる第２の共有無線リソースに対応するかを示す情報を含む、
請求項１又は請求項２に記載の基地局。
【請求項４】
前記送信部は、前記受信部により、前記共有無線リソースを使用することを示す情報を含む第３信号が受信されなかった場合、前記共有無線リソースとは異なる無線リソースが割り当てられた他の無線通信装置に対し、前記共有無線リソースが空いていることを示す情報を含む第４信号を送信する、
請求項１から請求項３の何れか１項に記載の基地局。
【請求項５】
前記送信部は、前記共有無線リソースを用いて前記他の無線通信装置から送信されたデータ信号に対応する応答信号を前記他の無線通信装置に送信する場合に、更に、前記無線通信装置に対して前記共有無線リソースの使用を抑止する情報を含む第５信号を送信する、
請求項４に記載の基地局。
【請求項６】
Ｇｒａｎｔ−ｆｒｅｅ方式で基地局と無線通信が可能な端末であって、
割り当てられた共有無線リソースを用いて第１信号を前記基地局に送信する送信部と、
前記送信部により送信された第１信号に対する応答として前記基地局から送信された第２信号を受信する受信部と、
を含み、
前記送信部は、前記第２信号に再送に用いる無線リソースに関する情報が含まれる場合、前記再送に用いる無線リソースに関する情報に応じて、前記第１信号を前記基地局に再送信する、
端末。
【請求項７】
Ｇｒａｎｔ−ｆｒｅｅ方式で無線通信装置と無線通信を行う基地局が実行することが可能な通信方法であって、
前記無線通信装置に割り当てられた共有無線リソースを用いて前記無線通信装置から送信された第１信号に対して、前記無線通信装置に再送を要求する場合に、再送に用いる無線リソースに関する情報を含む第２信号を前記無線通信装置に送信する、
通信方法。
【請求項８】
Ｇｒａｎｔ−ｆｒｅｅ方式で無線通信装置と基地局とが無線通信が可能な無線通信システムであって、
前記無線通信装置は、
割り当てられた共有無線リソースを用いて第１信号を前記基地局に送信する第１送信部を備え、
前記基地局は、
前記第１信号を受信する受信部と、
前記無線通信装置に前記第１信号に対しての再送要求する場合に、再送に用いる無線リソースに関する情報を含む第２信号を前記無線通信装置に送信する第２送信部と、を備える、
無線通信システム。
【国際調査報告】
2019082367.tif 000021
2019082367.tif 000022
2019082367.tif 000023
2019082367.tif 000024